(57)【要約】      （修正有）【課題】炭素繊維のフェルトを入れることで残尿の吸収、消臭効果のあるパンツを提供する。【解決手段】パンツの前側、尿の当たる所の上下にマジックテープ凹を付けて、メッシュの生地で作った袋の中に木炭の成分が入ったフエルトの生地を入れて縫い付ける、パンツのマジックテープの所に当たる袋の上下にマジックテープ凸を付けて、パンツから取り外しが出来るようにする。【選択図】図１
0003109011.tif 000002
【実用新案登録請求の範囲】
【請求項１】
パンツの前面に取り外しの出来る袋をつけ、その中に炭素繊維のフエルトを入れることにより、残尿の吸収、消臭効果もあり毎日パンツを穿き替えなくて済むので洗濯の回数を減らすことが出来る。
【考案の詳細な説明】
【技術分野】
【０００１】  パンツの前部に取り外しの出来る袋を付け、その中に炭素繊維のフエルトを入れて縫い付ける。
【背景技術】
【０００２】  パンツの表面は普通のパンツと変わらないようにし、他の人に気づかれない工夫がしてある。
【考案の開示】
【考案が解決しようとする課題】
【０００３】  歳をとると尿の切れが悪くなり尿漏れが気になるので、パンツの中の袋を取り替えることで、毎日、新しいパンツに穿き替えなくてもすむ。
【課題を解決するための手段】
【０００４】  パンツの前側、尿の当たる所の上下にマジックテープ凹を付けて、メッシュの生地で作った袋の中に木炭の成分が入ったフエルトの生地を入れて縫い付ける、パンツのマジックテープ凹の所に当たる袋の上下にマジックテープ凸を付けて取り外しが出来るようにする、１日か２日置きに袋を取り替えると臭いが出ない、また、パンツの袋に香料などを吹き付けると尿の臭いが消される。
【考案の効果】
【０００５】  残尿の吸収、消臭効果、洗濯回数を減らせる。
【考案の実施するための最良の形態】
【０００６】  パンツの前面に取り付ける。
【実施例】
【０００７】  本考案をパンツに取り付ける事により、毎日パンツを変えなくてもすむ。
【図面の簡単な説明】
【０００８】
【図１】本考案、消臭パンツの断面図である。
【図２】本考案、消臭パンツの効果を発揮するフエルトを入れる袋である。
【符号の説明】
【０００９】１  パンツ
２  パンツのゴム
３  マジックテープ凹
４  マジックテープ凸
５  メッシュの生地
６  炭素繊維の入ったフエルト
７  小便する時の隙間
【図１】
0003109011.tif 000003
【図２】
0003109011.tif 000004
【手続補正書】
【提出日】平成16年7月20日(2004.7.20)
【手続補正１】
【補正対象書類名】実用新案登録請求の範囲
【補正対象項目名】全文
【補正方法】変更
【補正の内容】
【実用新案登録請求の範囲】
【請求項１】
パンツの内側の前面に、炭素繊維のフェルトを入れた袋をつける。本考案により、老齢により生じる排尿後に起こる残尿を、炭素繊維のフェルトが吸収するので、残尿がパンツを伝ってズボンにまで染みない、従来のパンツでは残尿がパンツを伝ってズボンに染み出て他人に気付かれ恥ずかしい経験をすることがある。また炭素繊維は腐食せず消臭効果があり軽量なので穿き心地は従来のままで匂いを軽減できる効果がある。さらに植物性炭素繊維のフェルトを袋に入れて使用すれば抗菌効果があり衛生的なので毎日パンツを穿き替えなくて済み、洗濯する回数を減らすことも出来るので節水や節電にもなる。また炭素繊維のフェルトを入れた袋はパンツに縫いつける以外の取り付け方として面ファスナーをパンツと袋に使用してパンツと袋を着脱可能な構造にすればパンツを穿き替えずに、袋だけの交換ができるので、より洗濯する回数を減らせる。軽量で消臭効果があり排尿時に生じる残尿を吸収できる炭素繊維のフェルトを入れた袋を備えたパンツ。
【手続補正２】
【補正対象書類名】明細書
【補正対象項目名】全文
【補正方法】変更
【補正の内容】
【考案の詳細な説明】
【技術分野】
【０００１】  本考案は、パンツの内側の前部に取り外しの出来る袋を付け、その中に炭素繊維のフェルトを入れることで、老化現象による排尿時の残尿を吸収できる、さらに消臭効果も得られる。
【背景技術】
【０００２】  パンツの内側に排尿時の残尿を吸収する袋を取り付けるだけなので、パンツの表側は普通のパンツと変わらない。老化現象による排尿時の残尿を吸収するパンツだという事を、他人には気づかれない構造である。機能性と実用性を両立する工夫がしてある。
【考案の開示】
【考案が解決しようとする課題】
【０００３】  歳を取ると尿の切れが悪くなる、排尿後の尿漏れが自然現象として起こるので、残尿を吸収する炭素繊維入りの袋をパンツの中に縫いつける。また別の取り付け方として、袋をパンツに縫いつけるのではなく面ファスナーをパンツと袋に使用してパンツと袋を着脱できるようにすれば、袋をパンツから取り外せるので、尿漏れのたびに新しいパンツに穿き替えなくても済むし、袋だけの交換が出来る、洗濯も袋だけで済む。
【課題を解決するための手段】
【０００４】  メッシュの生地で作った袋の中に、木炭の成分が入った炭素繊維のフェルトを入れて、袋の上側と下側に面ファスナー（フックタイプ）を縫い付ける。パンツの内側で前面、尿の当たる所の上側と下側に面ファスナー（ループタイプ）を縫い付ける、その際、袋の上下に縫いつけた面ファスナー（フックタイプ）とパンツに縫い付ける面ファスナー（ループタイプ）が合うように位置調整して面ファスナー（ループタイプ）をパンツに縫い付ける。面ファスナーを使用する事で袋の取り外しが出来るので、尿漏れをした時など袋を取り替えるだけで済む。
【考案の効果】
【０００５】  炭素繊維のフェルトは腐食せず、軽量なので穿き心地は従来のままで、老化現象による排尿時の残尿を吸収でき、消臭効果、抗菌効果もあるので洗濯回数を減らせる、よって節電と節水することが出来る。
【考案の実施するための最良の形態】
【０００６】  老化現象により生じる排尿時の残尿を炭素繊維のフェルトに吸収させるために、炭素繊維のフェルトを入れる袋は透水性の良い、穴の開いたメッシュの生地を使用して作る。袋には面ファスナー（フックタイプ）を縫いつける。袋を外した状態でもパンツを着用できるように、パンツには面ファスナー（ループタイプ）を縫い付ける。面ファスナーの（フックタイプ）を袋側に面ファスナー（ループタイプ）をパンツ側に指定する理由は、面ファスナー（フックタイプ）は硬くてチクチクするので袋を外したときに肌に触れることのない袋側に付ける。対して、面ファスナー（ループタイプ）は、ふわふわしてやわらかいのでパンツ側に使用する。面ファスナーを使用する事で袋の取り外しが出来るので、尿漏れをした時など袋を取り替えるだけで済む。
【実施例】
【０００７】  炭素繊維のフェルトを入れた袋をパンツに取り付ける。
【図面の簡単な説明】
【０００８】
【図１】本考案の主な目的である残尿を吸収する炭素繊維のフェルトを入れたメッシュ生地の袋の正面図である。
【図２】本考案の袋を取り付けるための面ファスナー（ループタイプ）を縫い付けたパンツの内側から見た、パンツ前部の断面図である。
【図３】本考案の袋を取り付けた、パンツの表側から見た、おじいちゃんの秘密のパンツの前面図である。
【符号の説明】
【０００９】  １  炭素繊維のフェルト
２  メッシュの生地で作った袋
３  面ファスナー  フックタイプＡ
４  面ファスナー  フックタイプＢ
５  パンツ
６  面ファスナー  ループタイプＡ
７  面ファスナー  ループタイプＢ
【手続補正３】
【補正対象書類名】図面
【補正対象項目名】全図
【補正方法】変更
【補正の内容】
【図１】
0003109011.tif 000005
【図２】
0003109011.tif 000006
【図３】
0003109011.tif 000007
【手続補正書】
【提出日】平成16年11月9日(2004.11.9)
【手続補正１】
【補正対象書類名】実用新案登録請求の範囲
【補正対象項目名】全文
【補正方法】変更
【補正の内容】
【実用新案登録請求の範囲】
【請求項１】
パンツの内側の前面に、炭素繊維のフェルト等を入れられる袋を備えたパンツ。
【手続補正２】
【補正対象書類名】明細書
【補正対象項目名】０００５
【補正方法】変更
【補正の内容】
【０００５】  １  パンツの内側の前面部に炭素繊維のフェルトを入れた袋を取り付けることで、老齢により生じる排尿後に起こる残尿を、炭素繊維のフェルトが吸収するので、残尿がパンツを伝ってズボンにまで染みない、従来のパンツでは残尿がパンツを伝ってズボンに染み出て他人に気付かれ恥ずかしい経験をすることがある。
２  炭素繊維は腐食せず消臭効果があり軽量なので穿き心地は従来のままで匂いを軽減できる効果がある。
３  植物性炭素繊維のフェルトを袋に入れて使用すれば抗菌効果があり衛生的なので毎日パンツを穿き替えなくて済み、洗濯する回数を減らすことも出来るので節水や節電にもなる。
４  炭素繊維のフェルトを入れた袋はパンツに縫いつける以外の取り付け方として面ファスナーをパンツと袋に使用してパンツと袋を着脱可能な構造にすればパンツを穿き替えずに、袋だけの交換ができるので、より洗濯する回数を減らせる。
軽量で消臭効果があり排尿時に生じる残尿を吸収できる炭素繊維のフェルトなどを入れた袋を備えることが可能なパンツ。
【手続補正３】
【補正対象書類名】明細書
【補正対象項目名】０００８
【補正方法】変更
【補正の内容】
【０００８】
【図１】パンツの内側の前面部に袋を取り付けた状態を、パンツのお尻側の斜め上から示した立体図である。
【図２】パンツの内側の前面部に面ファスナー（ループタイプ）を縫い付けた状態を示すパンツの断面図である。
【図３】袋に面ファスナー（フックタイプ）を縫い付けた状態を示す袋の平面図である。
【図４】パンツの内側に、尿漏れを吸収する袋を取り付けてある事が外側からは気付かれないように、普通のパンツと外観は同じに見えることを示すパンツを穿いたときの正面図である。
【手続補正４】
【補正対象書類名】明細書
【補正対象項目名】０００９
【補正方法】変更
【補正の内容】
【０００９】  １  メッシュの生地で作った袋
２  面ファスナー  フックタイプＡ
３  面ファスナー  フックタイプＢ
４  面ファスナー  ループタイプＡ
５  面ファスナー  ループタイプＢ
６  パンツの表側
７  パンツの内側
【手続補正５】
【補正対象書類名】図面
【補正対象項目名】全図
【補正方法】変更
【補正の内容】
【図１】
0003109011.tif 000008
【図２】
0003109011.tif 000009
【図３】
0003109011.tif 000010
【図４】
0003109011.tif 000011
【手続補正６】
【補正対象書類名】手続補正書
【補正対象項目名】手続補正４
【補正方法】削除
【補正の内容】